(57)【要約】      （修正有）【課題】録画再生装置を共有利用するユーザ間において、同一番組への視聴希望は同一番組への重複予約録画設定と同一録画済みコンテンツの複数記録保持管理となり、予約録画機能や録画記録領域を有効に使用できない問題が起こるため、予約録画設定の重複排除の管理と録画済みコンテンツの視聴共有を管理する手段を提供する。【解決手段】録画再生装置は、同一番組への予約録画設定を予約録画実行後の録画済みコンテンツを視聴する権利をユーザに対して確保する視聴権を用いることで、同一番組への予約録画設定の重複を排除すると共に、録画済みコンテンツを削除する権利を有する削除権を用いて、視聴権を持つ全てのユーザが録画済みコンテンツの視聴を終えるまで録画済みコンテンツの削除を抑制する、視聴権と削除権の管理方法を行う視聴権制御手段を備えることによって、効率的な予約録画と録画済みコンテンツの管理が行えるようにする。【選択図】図１
2011250333.tif 000002
【特許請求の範囲】
【請求項１】
放送やネットワークを介して取得されるコンテンツを複数のユーザが録画再生する録画再生装置であって、
録画済みコンテンツ毎に各ユーザが視聴を希望することを示す視聴権を設定するとともに、ユーザが録画済みコンテンツを再生した場合に、当該ユーザの視聴権を削除する視聴権制御手段と、
前記視聴権制御手段で設定された全ユーザの視聴権が削除された場合に、録画済みコンテンツを削除する削除制御手段と、を備えることを特徴とする録画再生装置。
【請求項２】
前記視聴権制御手段での視聴権の設定は、ユーザが録画予約を行うコンテンツ、あるいは、ユーザが選択する録画済みのコンテンツに対して、行われることを特徴とする請求項１に記載の録画再生装置。
【請求項３】
前記視聴権制御手段は、録画済みコンテンツ毎に各ユーザが録画済みコンテンツを削除可能であることを示す削除権を設定し、
前記削除制御手段は、前記視聴権制御手段で削除権を設定されたユーザの指示により、録画済みコンテンツを削除することを特徴とする請求項１に記載の録画再生装置。
【請求項４】
前記視聴権制御手段での削除権の設定は、ユーザが選択する録画済みのコンテンツに対して、行われることを特徴とする請求項３に記載の録画再生装置。
【請求項５】
前記視聴権制御手段で削除権を設定されたユーザが、録画済みコンテンツの削除の指示をした場合に、当該録画済コンテンツに対して、視聴権が設定され、削除権が設定されていない別のユーザがいれば、削除制御手段は、録画済みコンテンツの削除を行わず、視聴権制御手段は、削除権を当該別のユーザに設定することを特徴とする請求項３に記載の録画再生装置。
【請求項６】
ユーザの指示により、前記視聴権制御手段は、設定されている視聴権及び削除権を全て削除し、前記削除制御手段は、録画済みコンテンツを削除することを特徴とする請求項３に記載の録画再生装置。
【請求項７】
放送やネットワークを介して取得されるコンテンツを複数のユーザが録画再生する録画再生装置の視聴権管理方法であって、
録画済みコンテンツ毎に各ユーザが視聴を希望することを示す視聴権を設定し、
ユーザが録画済みコンテンツを再生した場合に、当該ユーザの視聴権を削除し、設定された全ユーザの視聴権が削除された場合に、録画済みコンテンツを削除することを特徴とする視聴権管理方法。
【請求項８】
前記視聴権の設定は、ユーザが録画予約を行うコンテンツ、あるいは、ユーザが選択する録画済みのコンテンツに対して、行われることを特徴とする請求項７に記載の視聴権管理方法。
【請求項９】
録画済みコンテンツ毎に各ユーザが録画済みコンテンツを削除可能であることを示す削除権を設定し、
削除権を設定されたユーザの指示により、録画済みコンテンツを削除することを特徴とする請求項７に記載の視聴権管理方法。
【請求項１０】
前記削除権の設定は、ユーザが選択する録画済みのコンテンツに対して、行われることを特徴とする請求項９に記載の視聴権管理方法。
【請求項１１】
前記削除権を設定されたユーザが、録画済みコンテンツの削除の指示をした場合に、当該録画済コンテンツに対して、視聴権が設定され、削除権が設定されていない別のユーザがいれば、録画済みコンテンツの削除を行わず、削除権を当該別のユーザに設定することを特徴とする請求項９に記載の視聴権管理方法。
【請求項１２】
ユーザの指示により、設定されている視聴権及び削除権を全て削除し、録画済みコンテンツを削除することを特徴とする請求項９に記載の視聴権管理方法。
【発明の詳細な説明】
【技術分野】
【０００１】
本発明はＴＶなどで受信する放送番組を録画及び再生する録画再生装置において、家庭内などで共有利用される録画再生装置内の録画済みコンテンツの複数ユーザによる視聴権管理方法に関する。
【背景技術】
【０００２】
近年、一般家庭ではＨＤＤ(Hard Disk Drive)を内蔵した録画再生装置の保持率が高まっている。録画再生装置では地上波デジタル放送、ＢＳデジタル放送、ＣＳデジタル放送など多くの放送番組が受信可能であり、放送データとともに送信される電子番組表(ＥＰＧ：Electronic Program Guide)を用いた予約録画設定などにより予約録画は容易になり、装置内に蓄積される録画済みコンテンツの量も増えている。
【０００３】
録画済みコンテンツの中には、録画再生装置の利用を共有する複数ユーザが視聴を希望するもコンテンツも存在する。しかし、例えば予約録画設定を行ったユーザが視聴後に録画済みコンテンツを削除してしまうと、他の視聴希望ユーザは視聴する事ができなくなる。
【０００４】
特許文献１には、家族全員で共有するデータに関して、家族全員がデータの利用を終えるまでデータを保護する方法が開示されている。本方法では、データに家族の人数分の消去識別子領域を追加し、家族の利用者がデータを利用した時に識別子に消去マークを付加し、家族全員分の消去マークが揃った時にデータが消去可能にする。
【先行技術文献】
【特許文献】
【０００５】
【特許文献１】特開平１０−２７５１０２
【発明の概要】
【発明が解決しようとする課題】
【０００６】
しかしながら、特許文献１で開示された方法では、家族全員がデータとなる録画済みコンテンツを視聴するまでコンテンツの削除ができない。すなわち、家族の全員が視聴を希望しない場合は、削除してもいいが、削除できない。
【０００７】
本発明の目的は、複数ユーザの視聴希望を考慮して録画済みコンテンツを管理する装置および方法を提供することにある。
【課題を解決するための手段】
【０００８】
上記目的を達成するために、例えば、特許請求の範囲に記載の構成を採用する。
【発明の効果】
【０００９】
本発明によれば、共有利用する録画済みコンテンツに対して視聴希望する複数ユーザが、視聴権を設定することによって、コンテンツの視聴を完了するまでコンテンツの削除を抑制できる。また、録画済みコンテンツに対して、視聴権の制御に合わせて削除権の制御も行うため、視聴を終えたコンテンツの削除も正確に行える。
【図面の簡単な説明】
【００１０】
【図１】録画再生装置の内部構成と周辺装置との接続構成図である。
【図２】録画再生装置で番組予約録画設定を行う時に視聴権制御を行う場合の処理フロー図である。
【図３】予約録画設定を行う場合に表示する電子番組表の一例である。
【図４】予約録画を管理するリスト情報の一例である。
【図５】録画再生装置にユーザ登録された情報の一例である。
【図６】予約録画設定時に録画する番組に対して、視聴権を設定する画面例である。
【図７】視聴権制御用リスト情報の一例である。
【図８】視聴権の設定用画面の一例である。
【図９】視聴権制御用リスト情報の設定値変更状況を示す図である。
【図１０】録画済みコンテンツを再生する場合の視聴権制御を含む処理フロー図である。
【図１１】録画済みコンテンツを再生する視聴権を持つユーザの選択画面を示す一例である。
【図１２】視聴権制御用リスト情報に沿って録画済みコンテンツを削除する場合の処理フロー図である。
【図１３】録画済みコンテンツに対して視聴権を設定する場合の処理フロー図である。
【図１４】録画済みコンテンツに対して視聴権を設定した場合の視聴権制御用リスト情報の更新を示す一例である。
【図１５】録画済みコンテンツに対して視聴権を設定する場合の選択画面を示す一例である。
【図１６】録画済みコンテンツに対して削除権を設定する場合の処理フロー図である。
【図１７】録画済みコンテンツに対して削除権を設定した場合の視聴権制御用リスト情報の更新を示す一例である。
【図１８】録画済みコンテンツに対して削除権を設定する場合の選択画面を示す一例である。
【図１９】視聴権制御用リスト情報に係わらず録画済みコンテンツを強制削除する場合の処理フロー図である。
【図２０】録画済みコンテンツを視聴権制御用リスト情報に係わらず強制削除できるユーザ選択用画面の一例である。
【発明を実施するための形態】
【００１１】
以下、本発明の実施の形態を図面に基づいて詳細に説明する。
【実施例１】
【００１２】
図１は本発明の実施例１による録画再生装置の機能ブロックについて示している例である。
【００１３】
図１において録画再生装置１はチューナ部１００、表示制御部１０１、制御部１０２、リスト部１０７、記録部１０８、入力部１０９、通信部１１０によって構成されている。
【００１４】
チューナ部１００は、アンテナにより受信した放送電波の情報を処理しデータとして制御部１０２へ渡す。
【００１５】
表示制御部１０１は制御部１０２が生成する再生画面やＯＳＤ(On Screen Display)画面の情報を受けて、表示装置２へ表示するための処理を行う。さらに、表示装置２では、表示制御部１０１が出力する画面情報を表示する。
【００１６】
制御部１０２は、録画制御手段１０３、再生制御手段１０４、視聴権制御手段１０５、削除制御手段１０６による各制御を行う。また、録画再生装置１への操作情報処理や番組表作成処理も行う。
【００１７】
録画制御手段１０３は、リスト部１０７に予約録画実行のリストを記録して管理し、録画実行時には録画済みコンテンツを管理するリストをリスト部１０７に記録させる。また、チューナ部１００や通信部１１０から取得するコンテンツデータを録画済みコンテンツとして記録部１０８へ記録させる。
【００１８】
再生制御手段１０４は、チューナ部１００、通信部１１０や記録部１０８から取得するコンテンツデータをデコードして再生し、表示制御部１０１に再生画面として出力させる。
【００１９】
視聴権制御手段１０５はリスト部１０７で管理している予約録画実行のリストや録画済みコンテンツを管理するリストに付随する視聴権と削除権に関する視聴権制御用のリストを管理する。
【００２０】
削除制御手段１０６は、リスト部１０７で管理している録画済みコンテンツのリストから削除対象となるコンテンツの情報を削除する。また、記録部１０８に保存している削除対象となるコンテンツを削除する。
【００２１】
リスト部１０７は予約録画実行を管理するリストと、記録部１０８に記録している録画済みコンテンツを管理するリストと、前記２つのリストに付随する視聴権と削除権に関する視聴権制御用のリストを保持する記憶装置である。
【００２２】
記録部１０８は、録画の実行などによって記録される映像データや音声データなどのコンテンツデータを保存する記憶領域であり、不揮発性メモリやＨＤＤなどの記憶装置である。
【００２３】
入力部１０９は図示していないリモコンなどからの録画再生装置１への操作指示を受信して、制御部１０２に通知する。リモコンなどとの接続は有線・無線、赤外線やBluetoothなどの通信方式で行う。
【００２４】
通信部１１０はネットワークプロトコルを用いてネットワーク１１１を介したコンテンツ取得や配信を行う。
【００２５】
ネットワーク１１１は、宅内ネットワークやインターネットなどの通信網であり、他の機器やサーバなどとのデータ送受信に使用する。
【００２６】
次に、本実施例１を図１から図１２を用いて説明する。
【００２７】
図２は、ユーザが番組表一覧から番組を選択して予約録画設定を行う際に、予約録画を行う番組に対して視聴権と削除権の設定を行う処理を示した処理フローである。
【００２８】
ステップ２００では、チューナ部１００が放送番組と共に受信した番組表データや、通信部１１０がネットワーク１１１上の番組表データ配信サービスを行うサーバなどから取得した番組表データを制御部１０２が取得し、番組表画面を作成し、表示制御部１０１を介して表示装置２に番組表を表示させる。
【００２９】
図３に表示装置２へ表示する番組表の一例を示す。番組表３００はチャンネル番号と時間帯により放送される番組を一覧として表示している。
【００３０】
ステップ２０１では、図示していないリモコンのユーザによる操作情報を入力部１０９が受信して制御部１０２に通知することによって、番組表一覧の中から予約録画番組を選択することが可能である。ここでは番組表の中からニュースβ３０１を予約録画番組として選択して決定する。予約録画番組としてリスト１０７で管理する場合のリスト情報の一部を図４に示す。ステータス４００は番組の予約録画の設定時には「予約」と設定される。ＣＨ番号４０１は録画する番組が放送されるチャンネルの番号を示している。番組名４０２は録画する番組のタイトル名である。放送日４０３は番組の放送される年月日を示す。開始時間４０４は番組の放送が開始される時間であり、終了時間４０５は番組の放送が終了する時間を示している。実際に予約録画が実行されるとステータス４００は「済み」と設定され、開始時間４０４と終了時間４０５は録画時に録画制御手段１０３によって更新され、録画を開始した時間と終了した時間となり、録画済みコンテンツを管理するリストの一部として利用される。
【００３１】
ステップ２０２では、視聴権制御手段１０５が視聴権の制御を行う。具体的には、ステップ２０１で作成した予約録画番組を管理するリスト情報に対して、予約録画を設定したユーザを特定するUSER-ID値と、録画した時に録画済みコンテンツの管理情報として記録する視聴権と削除権を視聴権制御用のリスト情報として生成し、予約録画番組を管理するリスト情報とともに管理する。
【００３２】
予約録画と録画済みコンテンツの視聴権制御を行うためには、視聴権と削除権を設定するユーザに関する登録情報が録画再生装置１に必要となる。本発明の実施例で扱う録画再生装置１に登録されているユーザに関して図５を用いて説明する。図５は録画再生装置１に登録済みのユーザに関する情報を示している。USER-ID５００の項目はユーザを識別するＩＤ値である。User-Def５０１は、視聴権制御を行なう予約録画や録画済みコンテンツに対して、始めに必ず設定されるユーザ識別用ＩＤ値であり、特にユーザを特定していない共用ＩＤ値である。
【００３３】
User-A５０２とUser-B５０３は本実施例で既に追加登録済みとした２ユーザを示すユーザ識別用ＩＤ値である。
【００３４】
ステップ２０２の処理で視聴権制御を行う場合、図６に示す画面が表示される。図６は、設定画面６００は予約録画を行う番組に対して視聴権を設定するユーザを選択させるための画面である。選択６０１から選択６０３は図５で説明した登録済みのユーザを表示して選択可能にしている状態であり、設定画面６００上では選択６０１のユーザが選択されている状態である。この選択６０１を選択している状態で視聴権設定を決定した場合には、ステップ２０２において図７に示す視聴権と削除権が予約録画を行う番組に対して設定される。
【００３５】
図７は、ステップ２０２の処理で予約録画を行う番組に対して、視聴権と削除権を設定した場合に生成する視聴権制御用のリスト情報である。USER-ID７００は視聴権を設定したユーザを示すＩＤ値であり、特定ユーザを示さない「User-Def」のＩＤ値が登録されている。視聴権７０１は視聴権の有無を設定する部分であり、「○」が設定されている場合は視聴権が設定されていることを示す。削除権７０２は予約録画した番組が記録部１０８に記録された場合に削除する権利を持つことを示す情報であり、「○」が設定されていれば削除権を持つことになる。なお予約録画設定において始めに予約録画の設定をしたユーザを示すＩＤ値には必ず視聴権と削除権が設定される。
【００３６】
ステップ２０３では、制御部１０２が、予約録画する図４の情報を含むリスト情報と図７の視聴権制御用リストをリスト部１０７に保存する。
【００３７】
以上のように、番組の予約録画設定を行う最初のユーザに対し、設定した予約録画番組に対して視聴権と削除権の設定が行われる。
【００３８】
次に、上記で説明した予約録画の設定を行った番組と同じ番組に対し、図５の登録ユーザUser-A、User-Bが同じく予約録画設定を行う場合の視聴権設定について、図２の処理フロー図と図８、図９を用いて説明する。
【００３９】
先に説明した図２の処理フローと同様にステップ２００、ステップ２０１の処理を行い、ステップ２０２の処理に移行すると図８に示す設定画面８００が表示装置２に表示される。最初の録画設定の時に表示された図６の設定画面６００に対して、リスト部１０７に保存されている図７の視聴権制御用のリスト情報には、User-Defに既に視聴権が設定されているため、視聴権が設定されていない選択８０２のUser-Aと選択８０３のUser-Bのみが選択できるようにしている。ここでステップ２０２の処理で選択８０２を選択し決定した場合の視聴権の設定について、図９を用いて説明をする。
【００４０】
図９は予約録画番組に対して作成された視聴権制御用のリスト情報が予約録画実行後も含めて変更されていく過程を示したものである。リスト情報９００は図７で示したリスト情報と同じである。リスト情報９０１は、ステップ２０２において、図８の選択８０２を選択し決定した場合に設定される視聴権制御用のリスト情報である。選択８０２の選択によってリスト情報９００に対しUSER-ID値としてUser-Aの追加と視聴権が設定されている。
【００４１】
ステップ２０３では、番組の予約録画を管理するリスト情報は既に設定されているので、視聴権制御用のリスト情報をリスト情報９００からリスト情報９０１へ更新するのみで処理を終了する。
【００４２】
以上の処理により、既に予約録画設定されている番組への予約録画設定では、予約録画を管理するリストを増やして複数録画するのではなく、視聴権制御用のリスト情報９０１に新規予約録画を要求したユーザのUSER-ID値と視聴権を追加設定して、予約録画番組の視聴が可能になるように管理する。更にUser-Bのユーザによって同一番組への予約録画設定が行われた場合には、視聴権制御用のリスト情報９０１はリスト情報９０２に示す設定情報に更新され、User-Bに対しても視聴権の確保によって視聴を可能にする。
【００４３】
次に、リスト情報９０２の視聴権制御用のリスト情報を持つ予約録画番組の予約録画が実行され、記録部１０８にコンテンツデータとして記録された録画済みコンテンツを視聴した場合の視聴権制御用のリスト情報の更新について図９〜図１１を用いて説明する。予約録画実行前と録画実行後では視聴権制御用のリスト情報に変更は無い。
【００４４】
User-Aによって録画済みコンテンツを再生した場合に、視聴権制御用のリスト情報９０２がリスト情報９０３へ更新されて、User-Aの視聴権と登録がリスト情報９０２から削除される過程を図１０に示す処理フロー図を用いて説明する
ステップ１０００では、リスト部１０７に保存されている録画済みコンテンツのリスト情報を読み出して、一覧表示する。ステップ１００１では、ユーザは録画済みコンテンツ一覧から再生するコンテンツを選択し決定を行う。ここではリスト情報９０２の視聴権制御用リスト情報を持つ録画済みコンテンツを選択し、ステップ１００２へ処理を移行する。ステップ１００２では、選択した録画済みコンテンツの視聴権制御用リスト情報９０２をリスト部１０７から読み出し、図１１に示す画面１１００を表示装置２へ表示する。画面１１００は再生のために選択した録画済みコンテンツに対し、視聴権を持つユーザのUSER-ID値が表示されている。ここで、ユーザによる操作によってUSER-ID値がUser-Aである選択１１０２が視聴ユーザとして選択されたとして、ステップ１００３へ処理を移行する。
【００４５】
ステップ１００３では、再生制御手段１０４によって、ステップ１００１で選択した録画済みコンテンツのコンテンツデータを記録部１０８より読み出し、再生デコード処理を行い、表示制御部１０１を介して表示装置２へ再生動画映像として表示させる。また、再生制御手段１０４は、コンテンツデータを最後まで再生した場合、あるいは、入力部１０９が受信した操作情報によって、途中で再生停止がされた場合、録画済みコンテンツの録画時間に対して再生した範囲の割合を視聴権制御手段１０５に通知する。
【００４６】
ステップ１００４では、視聴権制御手段１０５が、通知された録画済みコンテンツを再生した範囲の割合から視聴権の削除を行うか否かを決めて、再生したコンテンツの視聴権制御用のリスト情報を更新する。例えば、再生した範囲が録画済みコンテンツの総録画時間の８０％を超えていた場合には視聴権の削除を行い、それ以下の場合には視聴権を残しておくと判断する。あるいは、１分以上再生したら視聴権を削除し、それ以下なら視聴権を残すと判断する。視聴権制御手段１０５は、視聴権の削除をすると判断すると、リスト情報９０２からUser-Aの視聴権を削除するが、User-A自体は削除権を持たないため、User-A自体の登録を削除したリスト情報９０３を作成して、リスト部１０７へ更新されたリスト情報として保存する。
【００４７】
さらに、視聴権制御用リストがリスト９０３に更新された後、再び図１０の処理フローをステップ１００２でUSER-ID値にUser-Defを選択して録画済みコンテンツの再生を行った結果、視聴権を削除する処理を行うとリスト情報９０４に更新される。
【００４８】
以上の処理によって、録画済みコンテンツを再生すると録画済みコンテンツに設定している視聴権制御用のリスト情報の中から視聴権が削除され、削除権を持たないユーザは視聴権制御用のリストから削除される。
【００４９】
次に視聴権制御情報リストとしてリスト情報９０４を持つ録画済みコンテンツを削除する場合の視聴権制御用リスト情報とコンテンツ削除に関して、図９と図１２を用いて説明する。
【００５０】
図１２は録画済みコンテンツ一覧から削除するコンテンツを選んで、コンテンツデータの削除を行う場合の処理フロー図である。
【００５１】
ステップ１２００では、リスト部１０７に記録されている録画済みコンテンツを管理するリストを読み出して、表示装置２へ録画済みコンテンツ一覧を表示する。
【００５２】
ステップ１２０１では、録画済みコンテンツ一覧から削除するコンテンツを選択し、決定する。
【００５３】
ステップ１２０２では、視聴権制御手段１０５が、まずステップ１２０１で選択した削除する録画済みコンテンツの視聴権制御用のリスト情報をリスト部１０７から読み出し、選択したコンテンツの視聴権と削除権の設定情報を取得する。ここではリスト情報９０４が読み出される場合について説明を続ける。
【００５４】
録画済みコンテンツを削除しようとするユーザとしてUser-Bを選んでステップ１２０３へ処理を移行した場合は、視聴権制御手段１０５は、User-Bは録画済みコンテンツの視聴を行わないものとして視聴権制御用リストからUser-B自体の登録を削除する。そして、User-B自体は削除権を持たないため、録画済みコンテンツデータの削除は行わないで終了する。
【００５５】
録画済みコンテンツを削除しようとするユーザとしてUser-Defを選択してステップ１２０３へ処理を移行した場合は、視聴権制御手段１０５は、視聴権制御用のリストからUser-Defの削除権を削除するが、User-Bが視聴権を持っているため、User-Bに削除権を与える。そして、録画済みコンテンツの削除は不要と判断し、終了する。
【００５６】
更にリスト情報９０５を持つ録画済みコンテンツに対して、User-Bによって図１０の処理フローに沿って視聴権が削除される録画済みコンテンツの再生を行うと、リスト情報９０５はリスト情報９０６へ更新される。再び図１２のステップ１２０１でリスト情報９０６の設定値を持つ録画済みコンテンツを選択して、ステップ１２０２でUser-Bを選択してステップ１２０３へ移行する。ステップ１２０３では、視聴権制御手段１０５が、視聴権制御用のリスト情報からUser-Bの削除権を削除し、他に削除権を移す対象となる視聴権を持つユーザの登録が無いため、コンテンツデータの削除が可能となる。ステップ１２０４では、視聴権制御手段１０５が、ステップ１２０１で選択した録画済みコンテンツに関する情報として、リスト部１０７に保存されている録画済みコンテンツ管理用のリスト情報と視聴権制御用のリスト情報の削除と、削除制御手段１０６が、記録部１０８に保存されているコンテンツデータの削除を行う。
【００５７】
実施例１によれば、録画再生装置で番組の予約録画設定を行うと予約録画番組に対して視聴権制御用のリストが作成され、ユーザを特定しないUSER-ID値、視聴権と削除権がリストに追加される。また、同一番組へ追加の予約録画設定を行ったユーザに対してはユーザを特定するUSER-ID値と視聴権がリストに追加される。
【００５８】
更に、予約録画実行後の録画済みコンテンツへ視聴権制御用のリストは引き継がれ、このリストをもとに録画済みコンテンツに対する視聴とコンテンツ削除が管理される。そして、視聴権制御用のリストに視聴権を持つUSER-ID値があれば、録画済みコンテンツの削除を抑制できる。
【００５９】
視聴権は録画済みコンテンツの視聴を終えた時に削除されるため、視聴権制御用のリストを管理することによって、視聴のために番組の予約録画設定を行ったユーザに対しては、予約録画の実行によって記録された録画済みコンテンツの視聴を完了するまではコンテンツの削除が行われない。
【００６０】
よって、共有利用される録画再生装置において、視聴を希望して予約録画設定した全てのユーザが視聴を完了するまで録画済みコンテンツが削除されない。また、視聴を希望した全てのユーザが視聴を完了した後の録画済みコンテンツ削除でコンテンツデータの削除が行うことができる。このため、録画再生装置を共有利用するユーザのコンテンツを視聴する権利を確保した録画済みコンテンツの管理が可能となる。
【００６１】
なお、本実施例１では、最初の予約録画設定時にユーザを特定しないUSER-ID値を用いてユーザ管理をしているが、ユーザを特定したUSER-ID値を用いても特に問題は無い。
【００６２】
また、本実施例１では、予め録画再生装置１に登録されたUSER-ID値を用いてユーザの識別を行っているが、例えば録画再生装置１にカメラ、指紋認証機器や静脈認証機器などのユーザを識別するための機器を用いて、個別にユーザを特定するための認証情報をUSER-ID値の変わりに保持し、ユーザ識別に使用して使い勝手を向上しても良い。前記カメラや認証装置を用いてユーザの識別を行う場合には、本実施例１でユーザの選択を画面表示とリモコン操作によって行っていた処理は、前記カメラや認証装置によって識別したユーザを自動的に選択することが可能となり、ユーザ選択を行う必要が無くなり使い勝手を向上させることができる。
【実施例２】
【００６３】
実施例１では、予約録画設定時に視聴権や削除権といった視聴権制御用のリスト情報が設定され、予約録画実行後の録画済みコンテンツに情報が引き継がれていた。これに対して、実施例２では、すでに録画済みのコンテンツに対して視聴権の設定を行いたい場合を説明する。
【００６４】
図１３は録画済みコンテンツに視聴権の設定を行う場合の処理フロー図を示したものである。ステップ１３００では、記録部１０８に保存されている録画済みコンテンツに関するリスト情報をリスト部１０７から読み出し、録画済みコンテンツ一覧情報として表示制御部１０１を介して表示装置２へ表示させる。
【００６５】
ステップ１３０１では、録画済みコンテンツの一覧表示から視聴権を設定したいコンテンツを選択する。ここで選択した録画済みコンテンツが図１４に示す視聴権制御用のリスト情報としてリスト情報１４００を持っていた場合、ステップ１３０１では図１５の画面１５００を表示装置２へ表示させる。画面１５００ではUser-DefとUser-Aには視聴権が既に設定されているので、User-Bの選択１５０３のみが選択可能な状態で表示されている。ここで視聴権を設定するUSER-ID値として選択１５０３を選択して決定すると、入力部１０９は、User-Bが選択されたことを視聴権制御手段１０５に通知する。
【００６６】
ステップ１３０２では、視聴権制御手段１０５が、通知を受け、リスト情報１４００に対しUser-BのUSER-ID値と視聴権を追加したリスト情報１４０１を作成し、リスト部１０７へ更新記録する。
【００６７】
実施例２によれば、予約録画設定時だけでなく、録画済みコンテンツの中から選択したコンテンツに対しても視聴権の設定を行っていないUSER-ID値を持つユーザが視聴権を後から設定できるようになり、ユーザの使い勝手を向上することができる。
【実施例３】
【００６８】
実施例１では、録画済みコンテンツについて、削除権を持つユーザが削除を行った場合は、視聴権を設定している別のユーザがいれば、そちらに削除権を移行していた。
【００６９】
しかし、実施例1の方法では、視聴権を設定し削除権が移行される前のユーザは、、コンテンツの視聴終了後には視聴権が無くなり視聴権制御用リストからもUSER-ID値が削除されてしまい、視聴後もコンテンツデータを残したくても、コンテンツの管理に関わることができなくなる。
【００７０】
そこで、実施例３では、録画済みコンテンツに対して、削除権の設定を行う場合の例について説明する。図１６は録画済みコンテンツに削除権の設定を行う処理フロー図を示したものである。ステップ１６００では、記録部１０８に保存されている録画済みコンテンツに関する情報をリスト部１０７から読み出し、録画済みコンテンツ一覧情報として表示制御部１０１を介して表示装置２へ表示させる。
【００７１】
ステップ１６０１では、録画済みコンテンツの一覧表示から削除権を設定したいコンテンツを選択する。ここで選択した録画済みコンテンツが図１７に示す視聴権制御用のリスト情報としてリスト情報１７００を持っていた場合、ステップ１７０１では図１８の画面１８００を表示装置２へ表示させる。画面１８００ではUser-Defが削除権を持っているので、User-AとUser-Bが選択１８０２と選択１８０３として削除権が設定できる選択対象となっている。ここで削除権を設定するUSER-ID値として選択１８０２を選択して決定すると、入力部１０９は、User-Aが選択されたことを視聴権制御手段１０５に通知する。
【００７２】
ステップ１６０２では、視聴権制御手段１０５が、通知を受け、リスト情報１７００に対しUser-AのUSER-ID値と削除権を追加したリスト情報１７０１を作成し、リスト部１０７へ更新記録する。
【００７３】
実施例３によれば、始めに予約録画設定した時だけでなく、録画済みコンテンツの中から選択したコンテンツに対しても削除権を設定していないUSER-ID値を持つユーザが削除権を後から設定できるようになり、ユーザの使い勝手を向上することができる。
【実施例４】
【００７４】
実施例１では、録画済みコンテンツを削除するには、録画済みコンテンツに設定されている視聴権が全て削除されている必要がある。しかし、視聴権を登録しているユーザが、録画済みコンテンツの視聴をせずに放置、または録画再生装置の使用をやめてしまうと録画済みコンテンツが削除できなくなる。
【００７５】
そこで、実施例４では、視聴権制御用リスト情報に係わらず、録画済みコンテンツを強制削除できるようにする処理フローを図１９と図２０を用いて説明する。
【００７６】
図１９は、図１２のステップ１２０２をステップ１９００へ変更した処理フロー図であり、ステップ１９００以外のステップの処理は実施例１で説明した処理内容と変わらない。
図１９のステップ１９００では、録画済みコンテンツを削除しようとするユーザの選択画面である図２０の画面２０００に、User-Defの選択２００１、User-Bの選択２００２とは関係しない新たな選択２００３を表示させる。選択２００３を選択して決定すると、ステップ１９００では、視聴権制御用のリスト情報からUSER-ID値がUser-Def以外の全ての登録ユーザを削除するとともに、User-Defの視聴権と削除権も削除してからステップ１２０３へ処理を移行する。ステップ１２０３では、視聴権制御用のリスト情報に視聴権も削除権を登録されていないため、コンテンツデータの削除が可能と判断し、処理をステップ１２０４へ移行する。ステップ１２０４は実施例１の処理と同様である。
【００７７】
本実施例４によれば、ユーザが、強制削除が可能な選択２００３を選択して決定することにより視聴権制御用リスト情報に視聴権の登録があったとしても、録画済みコンテンツを削除することが可能となる。
【００７８】
以上の各実施例では、録画記録装置１へ対して直接リモコンなどによる操作によって、視聴権や削除権の設定を行う場合について説明しているが、ネットワークなどを介して接続される他の機器によって視聴権制御用のリストが変更されても問題ない。また、放送波やネットワーク経由で放送される番組について記載したが、録画再生装置１の要求によって、コンテンツを取得可能なネットワーク上のサーバからコンテンツのダウンロードを行う場合に関しても同様の視聴権制御が可能である。
【符号の説明】
【００７９】
１・・・録画再生装置
２・・・表示装置
１００・・・チューナ部
１０１・・・表示制御部
１０２・・・制御部
１０３・・・録画制御手段
１０４・・・再生制御手段
１０５・・・視聴制御手段
１０６・・・削除制御手段
１０７・・・リスト部
１０８・・・記録部
１０９・・・入力部
１１０・・・通信部
１１１・・・ネットワーク
【図１】
2011250333.tif 000003
【図２】
2011250333.tif 000004
【図３】
2011250333.tif 000005
【図４】
2011250333.tif 000006
【図５】
2011250333.tif 000007
【図６】
2011250333.tif 000008
【図７】
2011250333.tif 000009
【図８】
2011250333.tif 000010
【図９】
2011250333.tif 000011
【図１０】
2011250333.tif 000012
【図１１】
2011250333.tif 000013
【図１２】
2011250333.tif 000014
【図１３】
2011250333.tif 000015
【図１４】
2011250333.tif 000016
【図１５】
2011250333.tif 000017
【図１６】
2011250333.tif 000018
【図１７】
2011250333.tif 000019
【図１８】
2011250333.tif 000020
【図１９】
2011250333.tif 000021
【図２０】
2011250333.tif 000022